(57)【要約】【課題】ピン長を連続的に変更することによりシリンダ番号の変更を可能にした可変式ピンシリンダ錠及びシリンダ番号の変更方法を提供する。【解決手段】ピンシリンダ錠は、外筒１と、回動可能のシリンダ１０から構成され、シリンダ１０にはキーホール１１が設けられ、外筒１及びシリンダ１０には夫々ピン孔６及び５が形成されている。ピン孔５とピン孔６とは連通しており、ピン孔５の内部にはピン２が収容され、また、ピン孔６の内部には、ピン２に当接するタンブラーピン３と、このタンブラーピン３に対してシリンダ側に付勢させるスプリング４とが収容されている。ピン２は、シリンダ２２と、その内周面に形成された螺旋によりシリンダ２２の内部にはめ込まれた可動部２１にて構成され、外部よりこの可動部２１を回転させることにより、ピン２の長さを変更可能にする。【選択図】図２
2007247336.tif 000002
【特許請求の範囲】
【請求項１】
径方向に延びる第１ピン孔が設けられた外筒と、この外筒内に同軸的に回転可能に挿入され径方向に延びる第２ピン孔が設けられた内筒と、前記第１ピン孔内に収納された第１ピンと、前記第１ピンを前記外筒及び内筒の軸に向かう方向に付勢するバネと、前記第２ピン孔内に収納され前記内筒が回転して前記第１ピン孔と前記第２ピン孔とが整合したときに前記第１ピンを介して前記バネにより前記軸に向かう方向に付勢される第２ピンと、を有し、前記第２ピンの長さは連続的に変更調節可能であり、前記内筒内にキーが挿入されて前記第２ピンを外筒側に押し返し、前記第１ピンと前記第２ピンとの境界がシャーラインに位置したときに解錠されるものであることを特徴とする可変式ピンシリンダ錠。
【請求項２】
前記第２ピンは前記第２ピン孔に対してその長手方向に可動に且つ回転不能に前記第２ピン孔内に収納された筒部材と、この筒部材内に螺合され筒部材に対して螺回転することにより前記筒部材の長手方向に移動する可動部と、を有し、前記可動部は外部から挿入した駆動棒に脱着可能に固定され、この駆動棒を回転させて前記可動部の前記筒部材に対する長手方向の相対的位置を調節することにより、前記筒部材から突出する可動部の突出長を変更して前記第２ピンの長さを調節することを特徴とする請求項１に記載の可変式ピンシリンダ錠。
【請求項３】
前記駆動棒をその軸の周りに正逆回転するモータと、このモータの回転を制御して前記駆動棒を介して前記可動部の回転位置を制御するコントローラとを有することを特徴とする請求項２に記載の可変式ピンシリンダ錠。
【請求項４】
径方向に延びる第１ピン孔が設けられた外筒と、この外筒内に同軸的に回転可能に挿入され径方向に延びる第２ピン孔が設けられた内筒と、前記第１ピン孔内に収納された第１ピンと、前記第１ピンを前記外筒及び内筒の軸に向かう方向に付勢するバネと、前記第２ピン孔内に収納され前記内筒が回転して前記第１ピン孔と前記第２ピン孔とが整合したときに前記第１ピンを介して前記バネにより前記軸に向かう方向に付勢される第２ピンと、を有し、前記内筒内にキーが挿入されて前記第２ピンを外筒側に押し返し、前記第１ピンと前記第２ピンとの境界がシャーラインに位置したときに解錠されるピンシリンダ錠のシリンダ番号の変更方法において、前記第２のピンの長さを変更調節することにより、前記ピンシリンダ錠のシリンダ番号を変更することを特徴とするシリンダ番号の変更方法。
【請求項５】
前記第２ピンは前記第２ピン孔に対してその長手方向に可動に且つ回転不能に前記第２ピン孔内に収納された筒部材と、この筒部材内に螺合され筒部材に対して螺回転することにより前記筒部材の長手方向に移動する可動部と、を有し、外部から前記外筒を挿通して駆動棒を挿入し、前記可動部に脱着可能に固定し、この駆動棒を回転させて前記可動部の前記筒部材に対する長手方向の相対的位置を調節することにより、前記筒部材から突出する可動部の突出長を変更して前記第２ピンの長さを調節することを特徴とする請求項４に記載のシリンダ番号の変更方法。
【発明の詳細な説明】
【技術分野】
【０００１】
本発明は、シリンダ番号の変更が可能な可変式ピンシリンダ錠に関する。
【背景技術】
【０００２】
シリンダ錠は、回転可能な内筒、及び錠本体に固定された外筒からなるシリンダ構造を有しており、内筒と外筒との境界面に障害片（タンブラー）を差し込むことにより、内筒の回転を妨げる構造となっている。その障害片は、内筒に鍵を差し込むことにより取り外すことができ、内筒を回転させることで、鍵による施解錠が可能となる。また、ピンシリンダ錠の場合には、障害片はピンである。ピンシリンダ錠では、鍵のコードの違いは、ピン数と各ピンの長さの違いにより決まる。
【０００３】
一般のシリンダ錠のシリンダ番号は一定である。このため錠全体の交換なしでは鍵の変更を行うことができなかった。例えば、鍵を紛失した場合、紛失した鍵の悪用は、対応する錠の場所が判明しないことを前提にしている。また、例えば、住所等を特定できるものと一緒に紛失した場合、空き巣などに悪用される可能性は増大する。
【０００４】
従来の所謂使い切り式の可変コード型シリンダ錠は、予め用意された変更鍵の数だけコード変換が可能となっている。しかしながら、コード変更を行える回数が有限であるため、変更回数分の変更を実施してしまうと、それ以降はコード変更が行えず、シリンダ錠を交換する必要があった。そこで、この問題を解消するために、コード変更を繰り返し行うことができるような可変コード型シリンダ錠が提案されている。
【０００５】
図４は、特許文献１に記載の従来の可変コード型シリンダ錠の断面図である。図４に示すように、本従来例のシリンダ錠は、外筒１０１と、内筒１０２と、内筒１０２に形成された鍵穴１０２ａと、可変コード生成部１０３と、固有コード生成部１０４とから構成されている。固有コード生成部１０４で生成されるコードは、各シリンダ錠に固有のものであり、後に変更ができないが、可変コード生成部１０３で生成されるコードはコード変更が可逆的に可能となっている。なお、以下では、本発明に関連する可変コード生成部１０３のみについて説明する。
【０００６】
可変コード部１０３は、内筒に設けられた内筒側摺動孔１３１と、この内筒側摺動孔１３１に収容されるコードピン１３２と、このコードピン１３２に外筒１０１側から当接してコードピンの長さを調整する可変ピン１３３とを備えている。また、コードピン１３２が基準位置Ｘにあるときには、内筒側摺動孔１３１と、外筒１０１に設けられた外筒側摺動孔１３４とが連通するようになっており、この外筒側摺動孔１３４には、スプリング１３５と、このスプリング１３５により内筒１０２側に付勢されるドライバーピン１３６とが収容されている。また、コードピン変更位置Ｙにおいては、外筒１０１に外筒側摺動孔１３７が設けられており、この外筒側摺動孔１３７には、スプリング１３８と、このスプリング１３８により内筒１０２側に付勢されるドライバーピン１３９とが収容されている。
【０００７】
本従来技術においては、コードピン１３２とドライバーピン１３６との間に可変ピン１３３を配置又は除去することによりピン長を調整する。即ち、可変ピン１３１を除去する際には、内筒１０２を回転操作してコードピン１３２をコード変更位置Ｙに移動させ、内筒側摺動孔１３１と外筒側摺動孔１３７とを連通させる。そして、変更錠を用いて、可変ピン１３３をドライバーピン１３９の付勢に逆らって外筒側摺動孔１３７に収容させ、再び内筒１０２を回転させてコードピン１３２を基準位置Ｘに移動させることにより、可変ピン１３３を外筒側摺動孔１３７に残した状態とする。また、可変ピン１３３をコードピン１３２とドライバーピン１３６との間に配置する際にも、同様に内筒１０２を回転操作してコードピン１３２をコード変更位置Ｙに移動させ、変更錠を用いて、外筒側摺動孔１３７に収容されていた可変ピン１３３を内筒側摺動孔１３１に移動させた後に、再び内筒１０２を回転させてコードピン１３２を基準位置Ｘに移動させることにより行う。シリンダ錠には、複数の可変コード生成部１０３が設けられており、各可変コード生成部１０３が有する可変ピン１３３の着脱を組み合わせ、各コードピンのピン長を可変にすることで、異なるコードを生成することが可能となる。しかも、これらのコードの変更の回数は任意となっている。
【０００８】
このように、鍵のコードを変更可能にすることにより、紛失した鍵を無効化できるため、錠の堅牢性を強化することができる。また、従来は、錠全体の交換を必要としたが、ピンの配列を変更することにより別の錠として再利用が可能になるため、鍵の交換をより容易することが可能になる。
【０００９】
また、特許文献２では、コードが変更されたシリンダ錠を、もとのコードに復帰可能な可変型シリンダ錠を開示している。本従来技術においては、内筒に設けられたタンブラー孔にタンブラーピン及び可変ピンを挿入し、外筒に設けられたドライバーピン孔にはバネと、このバネにより内筒側に付勢されるドライバーピンとを挿入する。更に、内筒外周面に可変ピンを挿入させる収容凹部を設け、可変ピンを収容凹部に収容することによりピン長の調整を行う。また、各収容凹部を貫通するスリットを設け、１本の復帰バーをスリットに差し込む操作により、変換したコードを初期コードに復帰させる。
【００１０】
更にまた、特許文献３では、鍵の挿入により内部のタンブラーピンがシリンダ軸方向にスライドする軸方向型シリンダ錠において、コード変更が可能な可変コード型シリンダ錠が開示されている。本従来例においては、バネに付勢されたアンダーピンと、タンブラーピンとの間に可変コードピンを配置又は除去することによりピン長の調整を行い、コードの変更又は復帰を行う。
【００１１】
【特許文献１】特開２００４−１１２３３号公報
【特許文献２】実開平０７−０１５９７１号公報
【特許文献３】実開平０６−０６７７４６号公報
【発明の開示】
【発明が解決しようとする課題】
【００１２】
しかしながら、上述の従来技術には以下に示すような問題点がある。
【００１３】
特許文献１乃至３に記載の従来の可変コード型シリンダ錠においては、いずれも可変コードピンの着脱によりピン長の調整を行い、コード番号又はシリンダ番号の変更を行っている。このため、各ピン長の変更は可変コードピンの着脱による２通りに制限されるため、変更可能なシリンダ番号の数は、錠に設けられたピン数により制限を受ける。
【００１４】
本発明はかかる問題点に鑑みてなされたものであって、ピン長を連続的に変更することによりシリンダ番号の変更を可能にした可変式ピンシリンダ錠及びシリンダ番号の変更方法を提供することを目的とする。
【課題を解決するための手段】
【００１５】
本発明に係る可変式ピンシリンダ錠は、径方向に延びる第１ピン孔が設けられた外筒と、この外筒内に同軸的に回転可能に挿入され径方向に延びる第２ピン孔が設けられた内筒と、前記第１ピン孔内に収納された第１ピンと、前記第１ピンを前記外筒及び内筒の軸に向かう方向に付勢するバネと、前記第２ピン孔内に収納され前記内筒が回転して前記第１ピン孔と前記第２ピン孔とが整合したときに前記第１ピンを介して前記バネにより前記軸に向かう方向に付勢される第２ピンと、を有し、前記第２ピンの長さは連続的に変更調節可能であり、前記内筒内にキーが挿入されて前記第２ピンを外筒側に押し返し、前記第１ピンと前記第２ピンとの境界がシャーラインに位置したときに解錠されるものであることを特徴とする。
【００１６】
前記第２ピンは前記第２ピン孔に対してその長手方向に可動に且つ回転不能に前記第２ピン孔内に収納された筒部材と、この筒部材内に螺合され筒部材に対して螺回転することにより前記筒部材の長手方向に移動する可動部と、を有し、前記可動部は外部から挿入した駆動棒に脱着可能に固定され、この駆動棒を回転させて前記可動部の前記筒部材に対する長手方向の相対的位置を調節することにより、前記筒部材から突出する可動部の突出長を変更して前記第２ピンの長さを調節することができる。
【００１７】
前記駆動棒をその軸の周りに正逆回転するモータと、このモータの回転を制御して前記駆動棒を介して前記可動部の回転位置を制御するコントローラとを有すると好適である。
【００１８】
本発明に係るシリンダ番号の変更方法は、径方向に延びる第１ピン孔が設けられた外筒と、この外筒内に同軸的に回転可能に挿入され径方向に延びる第２ピン孔が設けられた内筒と、前記第１ピン孔内に収納された第１ピンと、前記第１ピンを前記外筒及び内筒の軸に向かう方向に付勢するバネと、前記第２ピン孔内に収納され前記内筒が回転して前記第１ピン孔と前記第２ピン孔とが整合したときに前記第１ピンを介して前記バネにより前記軸に向かう方向に付勢される第２ピンと、を有し、前記内筒内にキーが挿入されて前記第２ピンを外筒側に押し返し、前記第１ピンと前記第２ピンとの境界がシャーラインに位置したときに解錠されるピンシリンダ錠のシリンダ番号の変更方法において、前記第２のピンの長さを変更調節することにより、前記ピンシリンダ錠のシリンダ番号を変更することを特徴とする。
【００１９】
前記第２ピンは前記第２ピン孔に対してその長手方向に可動に且つ回転不能に前記第２ピン孔内に収納された筒部材と、この筒部材内に螺合され筒部材に対して螺回転することにより前記筒部材の長手方向に移動する可動部と、を有し、外部から前記外筒を挿通して駆動棒を挿入し、前記可動部に脱着可能に固定し、この駆動棒を回転させて前記可動部の前記筒部材に対する長手方向の相対的位置を調節することにより、前記筒部材から突出する可動部の突出長を変更して前記第２ピンの長さを調節することができる。
【発明の効果】
【００２０】
本発明によれば、ピン長を連続的に変更することができるため、従来の可変コードピンの着脱によるコード変更に比べて、無数に多くのシリンダ番号を生成することが可能となる。
【発明を実施するための最良の形態】
【００２１】
本発明の実施形態について、添付の図面を参照して詳細に説明する。先ず、本発明の第１の実施形態について説明する。図１は、本発明の第１の実施形態に係る可変式ピンシリンダ錠の斜視図である。また、図２は、ピンの詳細断面図である。
【００２２】
図１及び図２に示すように、シリンダ１０の内部には鍵を挿入するためのキーホール１１が設けられており、このシリンダ１０は外筒１の内部に設置される（外筒は図１では図示せず）。外筒１は鍵本体に固定されており、シリンダ１０は外筒１の内部でその円筒軸を中心にして回動可能となっている。
【００２３】
シリンダ１０には、ピン孔５がシリンダ１０の外周面とキーホール１１とを貫通するようにしてシリンダ１０の回転軸に直角に形成されており、ピン孔５の内部にはキーホール１１に挿入される鍵の確認を行うためのピン２が収容されている。図１では、一例として、ピン孔５が３つの場合、即ち、ピン２が３つの場合を例示している。また、外筒１には、３つのピン孔６が形成されており、各ピン孔６の内部には、ピン２に当接するタンブラーピン３と、このタンブラーピン３に対してシリンダ側に付勢させるスプリング４とが収容されている。また、図１に示すように、ピン孔５とピン孔６とは連通した状態となっており、ピン２とタンブラーピン３とが当接している。なお、図１では、ピン２、タンブラーピン３、及びピン孔５、６の形状を円筒状として図示したが、形状はこれに限られるものではなく、ピン２、タンブラーピン３が上下方向に可動になるような形状であればよい。
【００２４】
次に、図２に示すように、ピン孔５に収容されたピン２は、シリンダ２２と、その内部にはめ込まれた可動部２１にて構成されている。シリンダ２２の内周面には、ピン２の長さを変更可能にするための螺旋が切られており、また可動部２１の外周面にもこれに係合する螺旋が切られており、可動部２１はシリンダ２２の内部にはめ込まれている。また、タンブラーピン３は筒状の形状を有する。そして、外部よりこの可動部２１を回転させることにより、ピン２の長さを変更することを可能にしている。本実施形態では、可動部２１を動かすためのシャフト２３を可動部２１に固定し、これを外部より回転することによりピン２の長さを変える。即ち、図２に示すように、外筒１の表面にはシャフト２３を挿入するための穴が設けられており、シャフト２３はこの穴から挿入されスプリング４及びタンブラーピン３の内部を貫通して可動部２１に固定されている。なお、シャフト２３は可動部２１と取り外し可能に固定され、施解錠時には取り外すものとする。シリンダ２２の外周及びピン孔５の内周の形状を例えば６角形とすれば、シャフト２３の回転に対してシリンダ２２は回転せずに、内部にはめ込まれた可動部２１が回転してピン２の長さが変更される。また、図２では、タンブラーピン３が、外筒１とシリンダ１０との境界であるシャーライン７を横断する状態となっており、このため、シャフト２３を外した状態においても、タンブラーピン３により妨害されてシリンダ１０は回転できない状態となっている。
【００２５】
次に、本実施形態の動作について説明する。図２に示すようなピン構造を外筒１及びシリンダ１０に複数設け、夫々可動部２１の位置を調整してピン２の長さを設定し、シリンダ番号を設定する。このシリンダ番号に合致する鍵をキーホール１１に差し込むと、鍵の形状により各ピン２とこれに当接する各タンブラーピン３とがスプリング４の付勢に逆らって外筒１側に押し上げられ、ピン２とタンブラーピン３との境目がシャーライン７に一致し、タンブラーが外れてシリンダ１０は回転可能な状態となり、施解錠が可能となる。また、シリンダ番号を変更する場合には、各ピン２にシャフト２３を装着し、可動部２１の位置を調整してピン２のピン長を変更する。これにより、新たなシリンダ番号を設定し、このシリンダ番号に適合する鍵を用意すれば、施解錠が可能となる。
【００２６】
次に、本実施形態の効果について説明する。本発明によれば、ピン長を連続的に変更することができるため、従来の可変コードピンの着脱によるコード変更に比べて、無数に多くのシリンダ番号を生成することが可能となる。また、一般に錠を取り付けた際には、合鍵を含めて数本の鍵を渡されるが、本発明を活用した場合には、複数種類のシリンダ番号の合鍵を用意しておく。鍵の紛失などが発生し、第三者に鍵が渡った可能性がある場合には、ピンの長さを変更し、別シリンダ番号のピン長へ変更する。これにより紛失した鍵を無効化し、鍵の堅牢性を強化する。またこれにより、錠全体の取替えなどのリードタイムを短縮することが可能になる。
【００２７】
次に、本発明の第２の実施形態について説明する。図３は、本発明の第２の実施形態に係る制御機構を組み込んだ可変式ピンシリンダ錠の斜視図である。
【００２８】
図３に示すように、本実施形態においては、図１の構成に加えて、可動部２１を回転させるためのモータ及び回転を制御するためのコントローラから構成される制御機構５０を装備し、この制御機構５０によりシャフト２３を介してピン２の長さを制御する点が特徴である。なお、本実施形態におけるその他の構成は、第１の実施形態を示す図１の構成と同様であり、そのため同一の構成物には同一の符号を付してその詳細な説明は省略する。また、本実施形態の動作及び効果は、制御機構５０を設けたことによるシリンダ番号の制御を除けば、第１の実施形態と同様である。
【００２９】
なお、本実施形態では、モータを用いてピンを動かしていたが、ピンの形を工夫することによりギアを用い、簡略化してシステムを作ることも可能である。但し、各ピンの長さと、ピン長の組み合わせであるシリンダ番号との関連付けを自動で行うことができないため、この関連づけを手動で管理する必要がある。
【図面の簡単な説明】
【００３０】
【図１】本発明の第１の実施形態に係る可変式ピンシリンダ錠の斜視図である。
【図２】ピンの詳細断面図である。
【図３】本発明の第２の実施形態に係る制御機構を組み込んだ可変式ピンシリンダ錠の斜視図である。
【図４】特許文献１に記載の可変コード型シリンダ錠の断面図である。
【符号の説明】
【００３１】
１；外筒
２；ピン
３；タンブラーピン
４；スプリング
５、６；ピン孔
７；シャーライン
１０、２２；シリンダ
１１；キーホール
２１；可動部
２３；シャフト
５０；制御機構
１０１；外筒
１０２；内筒
１０２ａ；鍵穴
１０３；可変コード生成部
１０４；固有コード生成部
１３１；内筒側摺動孔
１３２；コードピン
１３３；可変ピン
１３４、１３７；外筒側摺動孔
１３５、１３８；スプリング
１３６、１３９；ドライバーピン
【図１】
2007247336.tif 000003
【図２】
2007247336.tif 000004
【図３】
2007247336.tif 000005
【図４】
2007247336.tif 000006